(57)【要約】【課題】ガスメータボックスの一次側管路などの既設管路の配管部材４の先端側管内、その他任意箇所の管内に簡単に装着できる簡易小型の感熱自動閉止装置を提供する。【解決手段】半月形の一対の回動閉止板１８を共通枢軸１９に蝶番連結２０してバネ付勢すると共に蝶番部を半田チップ２３で固定し、枢軸端２４をガス通過部１２が形成された皿状保持体１０の側壁に軸支する。皿状保持体１０を配管部材に直接又はホルダー３０の先端部に保持させて挿入固定する。【選択図】　　　　図３
2004144194.tif 000002
【特許請求の範囲】
【請求項１】
一対の半月形の板体が開き方向にばね付勢されて共通の枢軸に蝶番連結した回動閉止部材と、皿状部材の底部内周に環状平坦部と直径方向の渡り部を残して一対のガス通過部が貫設されると共に前記渡り部の延長上の側壁に前記枢軸の両端を支持し更に前記渡り部と前記蝶番連結部の一部間隙に半田チップが挿入されて前記板体が正常位置に固定されてなる皿状保持体とから構成され、前記皿状保持体がガス配管部材内に螺着されてなるガス管自動閉止装置。
【請求項２】
回動閉止板の回動を許容する空間を有する作動室とこれに連接する挿入部を備えたホルダーの前記作動室の開口端部に請求項１記載の皿状保持体が螺着されてなるガス管自動閉止装置。
【請求項３】
回動軸を閉止円板の直径方向に固定して軸端を突出させた円板閉止体と、前記回動軸の両端をストッパ付保持筒に貫設した軸孔に軸支させて前記保持筒に対して閉止側にばね付勢させると共に前記回動軸の少なくとも片側端部が前記保持筒に半田固定され、前記保持筒が配管部材内に螺着されてなるガス管自動閉止装置。
【請求項４】
閉止円板の回動を許容する空間を有する作動室とこれに連接する挿入部を備えたホルダーの前記作動室に請求項３記載の保持筒が螺着されてなるガス管自動閉止装置。
【発明の詳細な説明】
【０００１】
【発明の属する技術分野】
この発明は、火災時の温度を感知してガス管を自動的に閉止する装置に関する。
【０００２】
【従来の技術】
火災時の熱を感知して回動式栓体を自動閉栓する装置は、特許２７８４６２４その他によって公知であるが、この装置は、ガス管路内に装着するものではなく管路の一部に設けるものであるから使用個所に制限がある上、完全閉止を目的とするため構造が複雑で高価になる。
【０００３】
【発明が解決しようとする課題】
本発明は、ガス配管用のエルボを含む接続具等の配管部材の先端側内部に装着できる簡易小型の自動閉止装置を提供するものであって、予め本装置を組み込んだ配管部材を提供できることは勿論、ガスメータボックスの一次側管路などの既設管路の配管部材に簡単に装着できる装置を提供するものである。
【０００４】
【課題を解決するための手段】
第１の発明に係る装置は、一対の半月形の板体が開き方向にばね付勢されて共通の枢軸に蝶番連結した回動閉止部材と、皿状部材の底部内周に環状平坦部と直径方向の渡り部を残して一対のガス通過部が貫設されると共に前記渡り部の延長上の側壁に前記枢軸の両端を支持し、更に前記渡り部と前記蝶番連結部の一部に半田チップが挿入されて前記板体が正常位置に固定されてなる皿状保持体とから構成され、皿状保持体がガス配管部材内に螺着される。
皿状保持体は、配管部材先端内に直接装着できるが、直管状ホルダー又は段付ホルダーを介して既設管路内に簡単に装着できる。
段付ホルダーは、上記自動閉止装置の皿状保持体を収容する作動室とこれに連接する管端挿入部を備えた管状部材で構成される。
【０００５】
第２の発明に係る装置は、回動軸を閉止円板の直径方向に固定し、前記回動軸の両端を保持筒の側壁に軸支させた円板閉止体と、前記円板閉止体を管軸方向に定置させて前記保持筒に対して閉止側にばね付勢させると共に前記回動軸の少なくとも片側端部を前記保持筒に半田固定し、前記保持筒の外周を配管部材内に螺着する。
保持筒には閉止円板のストッパが突設される。
この装置は、前記第１装置と同様にホルダー内に収容して既設管路にも適用できる。
【０００６】
【発明の実施の形態】
（第１発明に係る装置）
１０は、皿状の保持体であって真鍮製の皿状部材の平坦底部１１を打抜いて半円状のガス通過部１２を形成すると共に環状内周部１３と直径方向の渡部１４を形成し、側壁１５の外周に雄ねじ１６が形成されている。１７は、直線状渡部の延長上の側壁に設けた枢軸掛止用凹部である。
１８は、例えば真鍮製で半月形の一対の回動閉止板であって枢軸１９に蝶番連結２０され、ステンレス製のコイルばね２１によって常時開き方向即ち、閉止側に付勢されると共に蝶番部に設けた切欠部又は間隙２２に半田（７５±５℃の低融点合金）チップ２３が嵌入接着されて常温ストッパーとされている。枢軸の両端２４は、保持体側壁に設けた切欠凹部１７に嵌合されている。
【０００７】
（組付）
上記装置は、予め閉止側に過剰にばね付勢させた一対の回動閉止板を保持体に対して図５のように位置させて一旦図２の閉止状態を作り、次に適当な工具をガス通過部１２を通して半月閉止板１８を直立させた状態で図６のように半田チップ２３を接着剤を介して挿入固定して図３の状態として組込みが完了する。
【０００８】
皿状保持体１０を直接配管部材の先端部に螺着させて使用することもできるが、ホルダー内に嵌着することによって管路内装着を簡単且容易にでき、既設の配管部材にも装着できるようになる。
ホルダー３０は、皿状保持体１０を開口端部３１に螺着すると共に回動閉止板１８の回動を許容する空間を有する作動室３２と挿入部３３を備え、挿入部を既設の配管部材先端側に挿入する。３４は段部、３５はシールリング、３６は複数の張出ばねを備えたＣ型の抜出し防止兼保持リングである。
ホルダーは、図１１のように直管状ホルダー３０Ａとすることもできる。
【０００９】
本発明装置は、図１及び図２のようにガスメータボックスの一次側に適用するのが最も一般的である。
１は元管、２は元栓、３はエルボなどによる曲り部、４は取付管、５はメータボックス、５Ａはメータ口金であって取付管４にユニオンナット６によって連結されて吊下げ支持されている。４Ａはシールパッキン、７は内管であって、図２は、ホルダー付装置を取付管の先端部に装着した場合である。
【００１０】
回動閉止板は、常時は図３（Ａ）の状態にあってガスの通過を許容している。この状態でガス管の周囲温度が８０℃以上に上昇するとチップ２３が溶融して閉止板の掛止機能がなくなるため閉止板１８は、ばね力によって回動して図２のように皿状保持体の平坦環状部１３に密着してガス通路１２を閉塞する。取付管内にはガス圧が存在するが低圧（２５０ｍｍＡｑ）であるからガスが着火する程度に漏出することはなく、従って図の場合において仮に、ユニオンが緩んでメータボックスが脱落しても管先端が閉止されているので安全が確保される。
【００１１】
（第２発明に係る装置）
図８乃至図１０は、蝶型弁タイプのもので一枚の回動閉止円板が直径方向の回動軸と共に回動するものである。
４０は保持筒であり、筒壁に直径方向の一対の軸孔４１が貫通されている。
４３は閉止円板であって両端にボス部４４が形成され、ボス部間に回動軸挿通用の溝４５が形成されている。４６は回動軸であって、ボス部にネジ固定４４Ａされると共にその両端４７はボス部を貫通して軸孔４１に軸支されている。４８は、回動軸に周回配設したコイルバネであって一端は保持筒に固定され、他端は閉止円板に当接して常時閉止側にバネ付勢している。
回動軸の端部４７の少なくとも片側は、閉止円板４３が図８の位置で半田付４９によって固定されている。
回動軸と保持筒は同種の金属製である。
５０は、円板の閉止ストッパ、５１は保持筒回動用の切欠部、５２はネジ部である。
なお、保持筒４０内における閉止円板の回動を円滑にすると共に閉止をより確実にするため保持筒内面の回動軸面を中心として鼓型４２としておくのがよい。
【００１２】
この装置は、温度上昇によって軸端４７を固定している半田が溶融すると回動軸４６と閉止円板４３が一体で回動し、ストッパ５０に当接した状態で閉止円板の全周が保持筒内面に接することによってガスを遮断する。
【００１３】
【発明の効果】
上記いずれの装置もガス管路の一部に取り付けるのではなく、構成簡単で小型であって、管路内に容易に装着できるものであるから現場において必要個所に適宜に使用できる他、従来の完全閉止装置と併用すれば更に安全が確保できる。
【図面の簡単な説明】
【図１】本発明装置を効果的に適用できるメータボックス周りの正面図
【図２】取付管に装着した断面図
【図３】（Ａ）は回動板が開状態の正面断面図、（Ｂ）は側面断面図
【図４】保持体上面図
【図５】組込み時の回動板と保持体の断面図
【図６】半田チップの取付を示す一部断面図
【図７】回動板閉止状態の保持体上面図
【図８】円板回動式装置の正常状態断面図
【図９】閉止円板の斜視図
【図１０】閉止状態の断面図
【図１１】接続具に装着した場合の断面図
【符号の説明】
１０　皿状保持体
１２　ガス通過部
１３　内周部
１４　渡り部
１５　側壁
１７　枢軸掛止部
１８　半月閉止板
１９　枢軸
２０　蝶番部
２１　コイルバネ
２２　間隙
２３　半田チップ
２４　軸端
３０　ホルダー
３２　作動室
３３　挿入部
３７　接続具
４０　保持筒
４１　軸孔
４３　閉止円板
４４　ボス部
４５　溝
４６　回動軸
４７　軸端
４８　コイルバネ
４９　半田
【図１】
2004144194.tif 000003
【図２】
2004144194.tif 000004
【図３】
2004144194.tif 000005
【図４】
2004144194.tif 000006
【図５】
2004144194.tif 000007
【図６】
2004144194.tif 000008
【図７】
2004144194.tif 000009
【図８】
2004144194.tif 000010
【図９】
2004144194.tif 000011
【図１０】
2004144194.tif 000012
【図１１】
2004144194.tif 000013